(57)【要約】【課題】１つの表示パネルの姿勢を調整することによって他方の表示パネルの姿勢も同時に調整すること。【解決手段】２つの表示パネル１１，１２を姿勢の変更が可能なように支持するディスプレイ支持装置３であって、２つの表示パネルを互いに連結するリンク機構１３と、リンク機構の中心部を回転可能に支持する基台１４とを有し、リンク機構１３には、その一端側において回転可能に取り付けられた第１の軸５１と一体的に回転するように１つの表示パネル１１が取り付けられ、他の一端側において回転可能に取り付けられた第２の軸５５と一体的に回転するように他の１つの表示パネル１２が取り付けられており、第１の軸５１と第２の軸５５とは、互いに連動して逆向きに同期して回転するように、回転伝動機構によって連結されている。【選択図】      図５
2006133416.tif 000002
【特許請求の範囲】
【請求項１】
２つの表示パネルを姿勢の変更が可能なように支持するディスプレイ支持装置であって、
前記２つの表示パネルを互いに連結するリンク機構と、
前記リンク機構の中心部を回転可能に支持する基台と、を有し、
前記リンク機構には、その一端側に１つの前記表示パネルが取り付けられ、他の一端側に他の１つの前記表示パネルが取り付けられており、
１つの前記表示パネルの姿勢を変更することによって前記リンク機構を介し他の１つの前記表示パネルの姿勢が変更されるように構成されてなる、
ことを特徴とするディスプレイ支持装置。
【請求項２】
２つの表示パネルを姿勢の変更が可能なように支持するディスプレイ支持装置であって、
前記２つの表示パネルを互いに連結するリンク機構と、
前記リンク機構の中心部を回転可能に支持する基台と、を有し、
前記リンク機構には、その一端側において回転可能に取り付けられた第１の軸と一体的に回転するように１つの前記表示パネルが取り付けられ、他の一端側において回転可能に取り付けられた第２の軸と一体的に回転するように他の１つの前記表示パネルが取り付けられており、
前記第１の軸と前記第２の軸とは、互いに連動して逆向きに同期して回転するように、回転伝動機構によって連結されている、
ことを特徴とするディスプレイ支持装置。
【請求項３】
前記リンク機構は、６本のリンクが２つの平行四辺形を構成するように７つの回り対偶によって連結されてなり、
７つの前記回り対偶のうちの２つが前記第１の軸および前記第２の軸によって構成されている、
請求項２記載のディスプレイ支持装置。
【請求項４】
前記回転伝動機構は、前記回り対偶の位置に配置された複数のギヤ、および隣り合う前記ギヤの間に張られた複数のタイミングベルトを含んで構成されている、
請求項２または３記載のディスプレイ支持装置。
【請求項５】
２つの表示パネルと、
前記２つの表示パネルを互いに連結するリンク機構と、
前記リンク機構の中心部を回転可能に支持する基台と、を有し、
前記リンク機構には、その一端側に１つの前記表示パネルが取り付けられ、他の一端側に他の１つの前記表示パネルが取り付けられており、
１つの前記表示パネルの姿勢を変更することによって前記リンク機構を介し他の１つの前記表示パネルの姿勢が変更されるように構成されてなる、
ことを特徴とするディスプレイ装置。
【発明の詳細な説明】
【技術分野】
【０００１】
本発明は、液晶パネルなどからなる２つの表示パネルを姿勢の変更が可能なように支持するディスプレイ支持装置およびディスプレイ装置に関する。
【背景技術】
【０００２】
従来より、液晶パネルやプラズマディスプレイパネルなどの薄型の表示パネルを支持するために、鉛直面内で回動可能ないわゆるチルト機構を有する支持装置が種々提案されている。
【０００３】
また、商談や相談業務などにおいて、担当者が表示パネルの画面を見ながらパーソナルコンピュータを操作し、操作後にまたは操作と同時にその画面を顧客に見せながら説明を行うことがある。
【０００４】
そういった場合に、１つの表示パネルでは顧客と担当者とで画面を同時に見ることができないことがあり、担当者や顧客の席を移動させたり、表示パネルをあっちへ向けたりこっちへ向けたりしなければならない。例えば、顧客と担当者とがテーブルをはさんで対面に座った場合には、顧客に画面を見せるためにディスプレイ装置の全体を対面に向けたり元に戻したりしなければならない。
【０００５】
この問題に対処するために、２つの表示パネルを逆方向に向けた状態でチルト調整が可能なように取り付けた対面型のディスプレイ装置が提案されている（特許文献１）。
【特許文献１】特開２００１−３５０４３３
【発明の開示】
【発明が解決しようとする課題】
【０００６】
しかし、上に述べた特許文献１のディスプレイ装置では、２つの表示パネルが互いに逆方向に向いた状態であり、対面で用いる場合には非常に便利がよいものの、表示パネルの向きを他の方向に変更することができないので、多数の顧客がいる場合や顧客が対面に座らなかった場合には最適の表示状態とすることができない。
【０００７】
例えば、顧客と担当者がテーブルのコーナー部にくの字形に並んで座ったり、複数人が表示パネルを取り囲むように座った場合に、上に述べた従来のディスプレイ装置ではやはり見にくいので、画面を見せるためにディスプレイ装置の全体を移動させなければならない。
【０００８】
また、２つの表示パネルを用いる場合に、それぞれの表示パネルの姿勢を個別に変更する場合には、顧客が画面を見やすくするために、担当者は２つの表示パネルの姿勢を調整しなければならず、表示パネルの姿勢の調整に多くの労力を費やすこととなる。
【０００９】
本発明は、上述の問題に鑑みてなされたもので、１つの表示パネルの姿勢を調整することによって他方の表示パネルの姿勢も同時に調整することの可能なディスプレイ支持装置およびディスプレイ装置を提供することを目的とする。
【課題を解決するための手段】
【００１０】
本発明に係るディスプレイ支持装置は、２つの表示パネルを姿勢の変更が可能なように支持するディスプレイ支持装置であって、前記２つの表示パネルを互いに連結するリンク機構と、前記リンク機構の中心部を回転可能に支持する基台と、を有し、前記リンク機構には、その一端側に１つの前記表示パネルが取り付けられ、他の一端側に他の１つの前記表示パネルが取り付けられており、１つの前記表示パネルの姿勢を変更することによって前記リンク機構を介し他の１つの前記表示パネルの姿勢が変更されるように構成される。
【００１１】
また、前記リンク機構には、その一端側において回転可能に取り付けられた第１の軸と一体的に回転するように１つの前記表示パネルが取り付けられ、他の一端側において回転可能に取り付けられた第２の軸と一体的に回転するように他の１つの前記表示パネルが取り付けられており、前記第１の軸と前記第２の軸とは、互いに連動して逆向きに同期して回転するように、回転伝動機構によって連結される。
【００１２】
好ましくは、前記リンク機構は、６本のリンクが２つの平行四辺形を構成するように７つの回り対偶によって連結されてなり、７つの前記回り対偶のうちの２つが前記第１の軸および前記第２の軸によって構成される。
【００１３】
また、前記回転伝動機構は、前記回り対偶の位置に配置された複数のギヤ、および隣り合う前記ギヤの間に張られた複数のタイミングベルトを含んで構成される。
【００１４】
また、本発明に係るディスプレイ装置は、２つの表示パネルと、前記２つの表示パネルを互いに連結するリンク機構と、前記リンク機構の中心部を回転可能に支持する基台と、を有し、前記リンク機構には、その一端側に１つの前記表示パネルが取り付けられ、他の一端側に他の１つの前記表示パネルが取り付けられており、１つの前記表示パネルの姿勢を変更することによって前記リンク機構を介し他の１つの前記表示パネルの姿勢が変更されるように構成される。
【発明の効果】
【００１５】
本発明によると、１つの表示パネルの姿勢を調整することによって他方の表示パネルの姿勢も同時に調整することができ、表示パネルの姿勢の調整が容易である。
【発明を実施するための最良の形態】
【００１６】
図１は本発明に係る支持装置３を用いたディスプレイ装置１の正面図、図２は図１のディスプレイ装置１の平面図、図３は図１の支持装置３の斜視図、図４は表示面ＨＧが外側を向くように姿勢を変更した状態のディスプレイ装置１の正面図、図５は図４のディスプレイ装置１の平面図、図６は図４の支持装置３の斜視図、図７は表示面ＨＧが互いに逆方向を向くように姿勢を変更した状態のディスプレイ装置１の正面図、図８は図７のディスプレイ装置１の平面図、図９は図７の支持装置３の斜視図、図１０はリンク機構１３の斜視図、図１１はリンク機構１３の正面図である。
【００１７】
図１〜３において、ディスプレイ装置１は、２つの表示パネル１１，１２、２つの表示パネル１１，１２を互いに連結するリンク機構１３、リンク機構１３の中心部を回転可能に支持する基台１４からなる。リンク機構１３には、表示パネル１１，１２との連結部分において、表示パネル１１，１２を着脱可能に取り付けるための取付け部２１，２２が設けられている。
【００１８】
表示パネル１１，１２は、それぞれ、液晶パネルなどからなって表示面ＨＧを有する表示デバイスである。図１〜３に示す状態では、これら２つの表示パネル１１，１２は互いに平行で同一平面上に配置された姿勢となっている。
【００１９】
リンク機構１３には、その一端側である取付け部２１に１つの表示パネル１１が取り付けられ、他の一端側である取付け部２２に他の１つの表示パネル１２が取り付けられている。図１〜３に示す状態では、リンク機構１３は伸長しきった状態であり、２つの表示パネル１１，１２は互いに最も離れた位置で支持されている。１つの表示パネル１１の姿勢を変更することによって、リンク機構１３を介し他の１つの表示パネル１２の姿勢が変更される。なお、姿勢の変更には、位置を変えずに向き（姿勢）のみを変更すること、位置のみを変更すること、向き（姿勢）と位置とを変更することが含まれる。
【００２０】
すなわち、２つの表示パネル１１，１２のいずれか一方を手で動かして姿勢を変更することによって、他方の表示パネル１２，１１の姿勢も変更され、例えば図４〜６に示す状態（第２の状態）となる。図４〜６に示す状態では、図１〜３に示す状態（第１の状態）に対して、姿勢が次のように変更されている。
（１）  リンク機構１３が少し収縮している。その結果、２つの取付け部２１，２２の距離が少し小さくなっている。
（２）  リンク機構１３が基台１４に対して平面視で約３０度左方向へ回転している。これによって、２つの表示パネル１１，１２が基台１４に対して同じ角度だけ公転している。
（３）  表示パネル１１がリンク機構１３の長手方向の線（以下「中心線」ということがある）に対して平面視で約３０度右方向へ回転（自転）している。
（４）  表示パネル１１の自転にともなって、それと連動して表示パネル１２が逆方向に同期して自転し、その結果、表示パネル１２が中心線に対して平面視で約３０度左方向へ回転（自転）している。２つの表示パネル１１，１２は、互いに約１２０度の角度で表示面ＨＧが外側を開いた状態となっている。
（５）  その結果、表示パネル１１は正面を向いており、表示パネル１２は正面に対して約６０度の角度を持って右側を向いている。
【００２１】
さらに、２つの表示パネル１１，１２のいずれか一方を手で動かして姿勢を変更することによって、図７〜９に示す状態（第３の状態）となる。図７〜９に示す状態では、図４〜６に示す状態に対して、姿勢が次のように変更されている。
（１）  リンク機構１３がさらに収縮し、収縮しきった状態となっている。その結果、２つの取付け部２１，２２の距離が最も小さくなっている。
（２）  リンク機構１３が基台１４に対して平面視でさらに約６０度左方向へ回転している。
（３）  表示パネル１１がリンク機構１３の中心線に対して平面視でさらに約６０度右方向へ回転（自転）している。
（４）  表示パネル１１の自転にともなって、それと連動して表示パネル１２が逆方向に同期して自転し、その結果、表示パネル１２が中心線に対して平面視でさらに約６０度左方向へ回転（自転）している。２つの表示パネル１１，１２は、表示面ＨＧが互いに逆方向に向いた状態となっている。
（５）  その結果、表示パネル１１は正面を向いており、表示パネル１２は背面を向いている。これは対面業務に適した状態である。
【００２２】
また、図７〜９に示す第３の状態から、リンク機構１３を基台１４に対してさらに左方向に回転させ、リンク機構１３を再度伸長させることも可能である。その間において、表示パネル１１，１２を、リンク機構１３の中心線に対して左右に９０度まで回転（自転）させることが可能である。但し、リンク機構１３が収縮しているときは、表示パネル１１，１２の回転角度によっては表示パネル１１，１２が互いに干渉することがあるので、干渉しない範囲においてプラスマイナス９０度まで回転（自転）させることができる。リンク機構１３は基台１４に対して３６０度の回転が可能であるので、第１の状態に対して２つの表示パネル１１，１２の位置を左右入れ替えたり、２つの表示パネル１１，１２を両方とも背面側に向けることもできる。
【００２３】
このように、支持装置３によると、２つの表示パネル１１，１２の姿勢を互いに連動させて変更することができる。
【００２４】
例えば、図７〜９に示す第３の状態において、担当者が表示パネル１１の側にいるとし、顧客が図８に示すＫ１〜３のいずれかの位置にいて表示パネル１２の表示面ＨＧを見ているとする。その場合に、担当者が表示パネル１１の姿勢を変更することによって、顧客が見ている表示パネル１２の姿勢を容易に調整することができる。つまり、例えば次の操作が可能である。
（１）  表示パネル１２をもっと顧客の側に近づけたいときには、表示パネル１１を担当者の側に近づけるように移動させる。
（２）  顧客が位置Ｋ３にいる場合に、顧客が表示パネル１２を正面で見ることができるようにするときには、表示パネル１２を左回転（自転）させるために表示パネル１１を右回転（自転）させる。または、表示パネル１１を持ってリンク機構１３をそのまま左方向に回転させる。または、リンク機構１３を左方向に回転させるとともに、表示パネル１１を右回転（自転）させる。さらに表示パネル１２を顧客に近づけたい場合には、表示パネル１１を担当者の側に近づくように移動させる。
（３）  顧客が位置Ｋ２にいる場合には、上の（２）と逆の方向に同じような操作を行えばよい。
（４）  顧客に２つの表示パネル１１，１２の両方の表示面ＨＧを見せたいときには、表示パネル１１を左方向に回転（自転）させながらリンク機構１３を左回転させる。または、表示パネル１１を右方向に回転（自転）させながらリンク機構１３を右回転させる。
【００２５】
その他、種々の操作が可能である。
【００２６】
次に、リンク機構１３の構造についてさらに詳しく説明する。
【００２７】
図１０および図１１をも参照して、リンク機構１３は、６個のリンク４１〜４６が、２つの平行四辺形を構成するように、７つの回り対偶を構成する軸５１〜５７によって回転可能に連結されて構成されている。
【００２８】
リンク４１〜４３は、表示パネル１１，１２の荷重を支えることができるよう大きな強度を有するように構成され、リンク４４〜４６は、リンク機構としての機能が果たせるような強度となっている。それぞれのリンク４４〜４６は、リンク４１〜４３に対してそれぞれ若干長い寸法となっている。
【００２９】
リンク機構１３には、その一端側において回転可能に取り付けられた軸５１と一体的に回転するように、上に述べた取付け部２１が取り付けられ、他の一端側において回転可能に取り付けられた軸５５と一体的に回転するように、上に述べた他の取付け部２２が取り付けられている。そして、これらの軸５１，５５は、互いに連動して逆向きに同期して回転するように、回転伝動機構ＫＤによって連結されている。
【００３０】
すなわち、両端部の２つの軸５１，５５は、ギヤ６１，６６で構成されており、他の２つの軸５２，５４についてもギヤ６２，６５で構成されている。中央の軸５３の近傍には、２つのギヤ６３，６４が回転可能にかつ互いに噛み合うように設けられている。これらのギヤ６１〜６６の隣り合うギヤの間には、タイミングベルト７１〜７４が張られている。
【００３１】
したがって、これら全てのギヤ６１〜６６は、互いに同期して回転する。ギヤ６１〜６６は、それ自体は何回転でも回転することが可能である。その際に、両端部に配置されたギヤ６１，６６は、互いに逆方向に回転する。ギヤ６１，６６にはそれぞれ取付け部２１，２２が一体回転するように取り付けられているので、取付け部２１，２２は、互いに逆方向に同期して回転（自転）する。
【００３２】
なお、取付け部２１，２２は、それぞれ、取り付け穴が設けられたブラケット８１，８２を有し、これらブラケット８１，８２が、それぞれ水平方向のチルト軸８３，８４を中心にして垂直面内で回転可能であり、これによって左右個別にチルト調整することが可能となっている。
【００３３】
リンク機構１３の中央部には、軸５３と同心上においてリンク機構１３を回転可能に支持する支持部２３が設けられている。支持部２３は、基台１４に固定され、または基台１４の一部を構成している。
【００３４】
なお、上に述べた各部は、強度の必要な箇所では主に鋼材を加工した部品や板金部品などで構成され、外装部分では主にプラスチックによる成形部品などで構成されている。これらの部品は、ボルト、ナット、リベット、溶接、溶着、嵌め合い、接着剤などによって互いに連結または固定される。
【００３５】
また、図示は省略したが、表示パネル１１，１２の表示面ＨＧにそれぞれ必要な画像を表示するための制御装置、パーソナルコンピュータやネットワークとの接続のためのインタフェース回路、および、操作入力を行うための操作パネルなどが設けられている。
【００３６】
上に述べた実施形態のディスプレイ装置１によると、いずれか一方の表示パネル１１，１２を担当者または顧客が手で移動させると、他方の表示パネル１２，１１も連動して移動する。つまり、いずれか１つの表示パネル１１，１２の姿勢を調整することによって、他方の表示パネル１２，１１の姿勢も同時に調整することができる。そのときの表示パネル１１，１２の移動の仕方および姿勢は、上に述べたとおりである。したがって、担当者が２つの表示パネル１１，１２の姿勢を同時に容易に調整することができる。また、顧客が自ら表示パネル１１，１２の姿勢を調整することも容易である。
【００３７】
したがって、顧客が対面に座らなかった場合、多数の顧客が横一列や円形にならんだ場合などでも、担当者は表示パネル１１，１２をそれぞれの状況に応じて最適の表示位置となるようにそれらの姿勢を容易に変更することができる。これによって、顧客との商談や相談などを円滑に行うことが可能となる。
【００３８】
上に述べた実施形態において、表示パネル１１，１２として、プラズマディスプレイパネル、その他の種々の薄型の表示パネルを用いることができる。その他、回転伝動機構ＫＤ、支持装置３、またはディスプレイ装置１の全体または各部の構造、形状、寸法、位置、角度、個数、および材質などは、本発明の趣旨に沿って適宜変更することができる。
【産業上の利用可能性】
【００３９】
本発明は、液晶パネルなどからなる２つの表示パネルの姿勢を自在に変更できるようにしたディスプレイ装置に利用することができる。
【図面の簡単な説明】
【００４０】
【図１】本発明に係る支持装置を用いたディスプレイ装置の正面図である。
【図２】図１のディスプレイ装置の平面図である。
【図３】図１の支持装置の斜視図である。
【図４】姿勢を変更した状態のディスプレイ装置の正面図である。
【図５】図４のディスプレイ装置の平面図である。
【図６】図４の支持装置の斜視図である。
【図７】対面用に姿勢を変更した状態のディスプレイ装置の正面図である。
【図８】図７のディスプレイ装置の平面図である。
【図９】図７の支持装置の斜視図である。
【図１０】リンク機構の斜視図である。
【図１１】リンク機構の正面図である。
【符号の説明】
【００４１】
１  ディスプレイ装置
３  支持装置
１１，１２  表示パネル
１３  リンク機構
１４  基台
４１〜４６  リンク
５１  軸（第１の軸）
５５  軸（第２の軸）
５２〜５４  軸
５６〜５７  軸
６１〜６６  ギヤ（回転伝動機構）
７１〜７４  タイミングベルト（回転伝動機構）
ＫＤ  回転伝動機構
【図１】
2006133416.tif 000003
【図２】
2006133416.tif 000004
【図３】
2006133416.tif 000005
【図４】
2006133416.tif 000006
【図５】
2006133416.tif 000007
【図６】
2006133416.tif 000008
【図７】
2006133416.tif 000009
【図８】
2006133416.tif 000010
【図９】
2006133416.tif 000011
【図１０】
2006133416.tif 000012
【図１１】
2006133416.tif 000013